(57)【特許請求の範囲】
【請求項１】
コンベヤベルト（６）の先端部に、該先端部の表裏面を表側コンベヤベルト引き込み金具（２）および裏側コンベヤベルト引き込み金具（３）により挟持したコンベヤベルト引き込み金具（１）を取り付けると共に、該コンベヤベルト引き込み金具（１）を保持ローラーと支持台を有するフレームに引込んで敷設するコンベヤベルト（６）の引き込み方法であって、前記コンベヤベルト引き込み金具（１）のうち、前記表側コンベヤベルト引き込み金具（２）のみを前記コンベヤベルト（６）の先端部から突出させると共に、前記裏側コンベヤベルト引き込み金具（３）の裏面から前記表側コンベヤベルト引き込み金具（２）の突出部の裏面の一部のみを覆う領域に柔軟部材（４）を配置して、前記コンベヤベルト引き込み金具（１）の裏面を前記柔軟部材（４）により防護するようにしたコンベヤベルト（６）の引き込み方法。
【請求項２】
前記柔軟部材（４）がコンベヤベルト材からなる請求項１に記載のコンベヤベルト（６）の引き込み方法。
【発明の詳細な説明】
【０００１】
【発明の属する技術分野】
本発明は、コンベヤベルトの引き込み方法に関し、更に詳しくはコンベヤベルトを保持ローラーと支持台からなるフレームに引込んで敷設するコンベヤベルトの引き込み方法に関するものである。
【０００２】
【従来の技術】
従来、様々な運搬物を大量に輸送する仕組みとして、プーリーとプーリー間を無端末状に結ぶコンベヤベルトによる輸送が知られており、該コンベヤベルトの新規な設置あるいは交換修理に際し、コンベヤベルトを保持ローラーと支持台からなるフレームに順次引込んで敷設する事により、交換してゆく事が図２（ａ）および（ｂ）のように行われている。しかし、コンベヤベルト引き込み金具がコンベヤベルト表面より凸状に飛び出るために、保持ローラーや支持台からなるフレームに引っかかり易く、コンベヤベルトの引き込み抵抗を大きくしたり、引き込み金具が設備に接触し塗装をはがしてしまう事もあった。そのため、交換作業の終了後に補修作業が不可欠で作業工数も増加し、しかも保持ローラーや支持台からなるフレームを傷つけたりして耐久性や外観を悪化させる原因にもなっていた。
【０００３】
一方、コンベヤベルトをパイプ状に丸めて輸送する事により、粉末、粒状の運搬物を外部に飛散させる事を低減する事が可能なパイプコンベヤが知られている。該パイプコンベヤベルトの新規な設置あるいは交換、修理に際し、コンベヤベルトを中空円形状に設置された保持ローラーに順次引込んで敷設することにより、コンベヤベルトをパイプ状に丸めていくことが行われている。しかし、コンベヤベルトをパイプ状に変形させながら曲線状のラインに引き込む関係から、コンベヤベルトの耳部や引き込み金具が保持ローラー等に引っかかり易くコンベヤベルトの引き込み抵抗を大きくしたり、設備の塗装をはがしてしまうため、補修作業が不可欠で作業工数も増加し、しかも保持ローラーや支持台からなるフレームを傷つけたりして、耐久性や外観を悪化させる原因にもなっていた。
【０００４】
そこで、特開平５−４７０７号公報のように紐やポリエチレンバンド等の仮止め用の拘束手段により引込み部をパイプ状に拘束し、ワイヤーによって保持ローラー２内を順次引込んで敷設する方法が提案され、引き込み力をある程度低減する効果は認められた。しかし、コンベヤベルトはパイプ形状に馴染みがなく、しかも仮り止め用の拘束手段自体が保持ローラー等に引っ掛かり易く、コンベヤベルトの引き込み抵抗を大きくしたり、設備の塗装をはがしてしまうため、補修作業が不可欠で作業工数も増加し、しかも保持ローラーや支持台からなるフレームを傷つけたりして耐久性や外観を悪化させる原因にもなっていた。
【０００５】
【発明が解決しようとする課題】
本発明は、かかる従来の課題に着目して案出したもので、コンベヤベルトを保持ローラーや支持台からなるフレームに引込んで敷設するコンベヤベルトの引き込み方法に関し、コンベヤベルトの引き込み抵抗を軽減するとともに、コンベヤベルトの引き込み金具が保持ローラーや支持台からなるフレームに引っかかり、設備の塗装をはがしてしまう恐れを減少させるようにしたコンベヤベルトの引き込み方法を提供することに有る。
【０００６】
【課題を解決するための手段】
本発明によれば、コンベヤベルト（６）の先端部に、該先端部の表裏面を表側コンベヤベルト引き込み金具（２）および裏側コンベヤベルト引き込み金具（３）により挟持したコンベヤベルト引き込み金具（１）を取り付けると共に、該コンベヤベルト引き込み金具（１）を保持ローラーと支持台を有するフレームに引込んで敷設するコンベヤベルト（６）の引き込み方法であって、前記コンベヤベルト引き込み用金具（１）のうち、前記表側コンベヤベルト引き込み金具（２）のみを前記コンベヤベルト（６）の先端部から突出させると共に、前記裏側コンベヤベルト引き込み金具（３）の裏面から前記表側コンベヤベルト引き込み金具（２）の突出部の裏面の一部のみを覆う領域に柔軟部材（４）を配置して、前記コンベヤベルト引き込み金具（１）の裏面を前記柔軟部材（４）により防護するようにしたコンベヤベルト（６）の引き込み方法が提供される。
【０００７】
これにより、何ら拘束の無い引込みワイヤーでコンベヤベルト（６）を引き込む場合であっても、コンベヤベルト（６）の先端部における表面と裏面とに配置された表側コンベヤベルト引き込み金具（２）および裏側コンベヤベルト引き込み金具（３）のプーリー側が柔軟部材（４）で防護してあるため、表側および裏側のコンベヤベルト引き込み金具（２）および（３）が保持ローラーや支持台からなるフレームに直接接触する恐れが少なくなり、フレームに引っかかり難くなって、コンベヤベルト（６）の引き込み抵抗を軽減するとともに、設備の塗装をはがしてしまう事が防止可能になり、しかも前記フレームと保持ローラーの耐久性や外観を向上させる事が出来る。
【００１０】
本発明において、前記柔軟部材（４）をコンベヤベルト材により構成するとよい。こうする事によって、従来廃棄されるだけであった使用済みコンベヤベルト（６）の再利用が可能になるばかりでなく、コンベヤベルト（６）の設備自体の消耗が抑止出来るため、良好な維持管理が可能になる。
【００１１】
【発明の実施の形態】
本発明のコンベヤベルト（６）の引き込み方法は、表側および裏側のコンベヤベルト引き込み金具（２）、（３）のプーリー側となる裏面を柔軟部材（４）で防護しつつ、保持ローラーや支持台からなるフレームに挿入させる事を特徴とする。
【００１２】
これにより、コンベヤベルト（６）の引き込み抵抗を著しく低減させることが可能になるとともに、保持ローラーや支持台からなるフレームに表側および裏側のコンベヤベルト引き込み金具（２）、（３）の硬質な部位が直接接触するおそれが減少し、設備の塗装をはがしてしまう事が防止可能になり、さらにコンベヤベルト（６）の設備自体の破損や消耗が抑止出来るため良好な維持管理が可能になる。
【００１３】
以下、添付図面により本願発明の実施形態を説明する。図１（ａ）は、本発明の実施形態によるコンベヤベルト引き込み金具（１）の表側から見たときの概略構成図であって、（２）は表側コンベヤベルト引き込み金具、（３）は裏側コンベヤベルト引き込み金具、（４）は表側コンベヤベルト引き込み金具（２）にネジ止めされた柔軟部材、（５）は表側コンベヤベルト引き込み金具（２）に設けたシャックル挿入穴、（６）はコンベヤベルト、図１（ｂ）は、本発明の実施形態によるコンベヤベルト引き込み金具（１）の裏側から見たときの概略構成図であって、図示していない保持ローラーや支持台からなるフレームに挿入させる引込み用ワイヤーとウインチによって牽引される。
すなわち、本願発明では、コンベヤベルト（６）の先端部における表裏面を挟持する表側コンベヤベルト引き込み金具（２）および裏側コンベヤベルト引き込み金具（３）のうち、表側コンベヤベルト引き込み金具（２）のみをコンベヤベルト（６）の先端部から突出させて形成すると共に、裏側コンベヤベルト引き込み金具（３）の裏面から表側コンベヤベルト引き込み金具（２）の突出部の裏面の一部のみを覆う領域に柔軟部材（４）を配置して、コンベヤベルト引き込み金具（１）の裏面を防護するようにしている。
【００１６】
【実施例】
本発明図１（ａ）および（ｂ）のコンベヤベルト引き込み金具を採用した場合と従来例図２を採用した場合について、コンベヤ引込み前の全数無傷な保持ローラーの取り付け個数で、コンベヤベルト引込み後の保持ローラーの塗装をはがしてしまった個数を除した百分率にてあらわし、比較した結果は表１の通りであった。
【００１７】
【表１】
0004524945.tif 000002
【００１８】
その結果、本発明のコンベヤベルトの引き込み方法を採用する事で、補修の個所を８５％減少する事が出来、補修の必要性が減少し、著しく作業効率が向上した事が確認された。
【００１９】
【発明の効果】
本発明は、上記のようにコンベヤベルトを保持ローラーや支持台からなるフレームに引込んで敷設するに際して、コンベヤベルト引き込み金具のプーリー側となる裏面を柔軟部材で防護する様にしたので、コンベヤベルトの引き込み抵抗を著しく低減させることが可能になる。しかも、コンベヤベルト引き込み金具の接触によりフレームや保持ローラーの塗装をはがしてしまう事が減少し、さらにフレームや保持ローラーの損傷がなく補修の必要性が減少し著しく作業効率が向上した。
【図面の簡単な説明】
【図１】（ａ）本発明の実施形態によるコンベヤベルト引き込み金具を表側から見たときの概略構成図、（ｂ）本発明の実施形態によるコンベヤベルト引き込み金具を裏側から見たときの概略構成図。
【図２】（ａ）従来のコンベヤベルト引き込み金具の表側から見たときの概略図、（ｂ）従来のコンベヤベルト引き込み金具の裏側から見たときの概略図。
【符号の説明】
１  コンベヤベルト引き込み金具
２  表側コンベヤベルト引き込み金具
３  裏側コンベヤベルト引き込み金具
４  柔軟部材
５  シャックル挿入穴
６  コンベヤベルト
【図１】
0004524945.tif 000003
【図２】
0004524945.tif 000004